(57)【要約】  【課題】  印刷機による一連の印刷工程のみによって製造でき、更に、印刷画像により再現される原画像中の光輝部分に対してごく自然な風合いの光沢を付与できる絵葉書又は証券についての光沢性印刷構造を提供すること。  【解決手段】  高輝度画像部１１は、印刷画像９の背後から光沢下地８、即ち、ホログラム層４の光沢が表出される部分であって、原画像を再現した印刷画像９に対してホログラム層４が発する特有の光沢が視覚効果として付加される。特に、高輝度画像部１１の中でも、印刷画像９の非画線部（インキの非付着部分）と光沢下地８とが重畳する部分である非画線光沢部１１ａは、印刷画像９の画線部（インキの付着部分）で光沢下地８が遮蔽されることがなく、故に、後述する透明ニス層１２越しにホログラム層４の光沢が直接表出され、原画像を再現した印刷画像９に対して一層強い光沢感を付与することができる。【選択図】        図１
0003137432.tif 000002
【実用新案登録請求の範囲】
【請求項１】
絵葉書又は証券について、光沢層を有した印刷基材を用いて、その光沢層上の印刷範囲に対して所望の原画像を印刷により再現することで形成される光沢性印刷構造であって、
その印刷範囲の一部に対し原画像に基づいて作成される下地画が光硬化型白色系インキで印刷されることで形成されて前記光沢層を被覆する遮蔽下地と、
その遮蔽下地を除いた前記印刷範囲内の部分であって前記光沢層の表面からなる光沢下地と、
その光沢下地及び遮蔽下地に対し、原画像に基づいて作成される印刷版を介して光硬化型インキで印刷されることで原画像を再現した印刷画像とを備えており、
その印刷画像と前記遮蔽下地とは光照射によって硬化されており、
前記印刷範囲には、前記印刷画像と前記光沢下地との重畳部分であって前記光沢層の光沢が表出される高輝度画像部と、その印刷画像と前記遮蔽下地との重畳部分であって前記光沢層の光沢が弱められている低輝度画像部とが設けられていることを特徴とする光沢性印刷構造。
【請求項２】
前記高輝度画像部は、前記印刷画像の中でも、その印刷画像によって再現される原画像に存在している光輝部分に相当する箇所について設けられていることを特徴とする請求項１記載の光沢性印刷構造。
【請求項３】
前記印刷基材を用いた絵葉書について、前記光沢層上の印刷範囲に対し、夜景を撮影した原画像を印刷により再現することで形成される光沢性印刷構造であって、
前記光輝部分が、前記原画像に写し出されている夜景中の発光物又は光反射物であることを特徴とする請求項２記載の光沢性印刷構造。
【請求項４】
前記印刷画像は、原画像を変換した網点画像が版面に形成される印刷版を介して印刷されるものであることを特徴とする請求項１から３のいずれかに記載の光沢性印刷構造。
【請求項５】
下刷ニス版を介して前記印刷画像の上から塗布される透明な光硬化型下刷ニスの硬化物によって形成され、前記印刷範囲全体を被覆するコーティング層を備えていることを特徴とする請求項１から４のいずれかに記載の光沢性印刷構造。
【請求項６】
前記コーティング層の表面であって前記低輝度画像部に対応する部分に設けられ、そのコーティング層に対する撥液性を有する透明性な光硬化型上刷ニスが上刷ニス版を介して塗布され、その光硬化型上刷ニスの硬化物によって微細凹凸状に形成されるエンボス層を備えていることを特徴とする請求項５記載の光沢性印刷構造。
【考案の詳細な説明】
【技術分野】
【０００１】
本考案は、光干渉による光沢を発するホログラム層や金属蒸着層などの光沢層上に所望の原画像を印刷により再現することで、その印刷画像に光沢層が発する光沢を効果的に反映させることができる絵葉書又は証券についての光沢性印刷構造に関するものである。
【背景技術】
【０００２】
従来より、絵葉書や証券などの印刷物については、その商品としての付加価値を高めるために種々の処理が施されているが、その一種として、絵葉書の絵面や証券の表面に光沢を付与することで高級感を演出することができる箔押し処理が知られている。この箔押し処理は、絵葉書の絵面や証券の表面の少なくとも一部に対し、表面に光沢のある箔材を貼着するものであり、かかる箔材の光沢によって印刷画像を装飾することで、絵葉書や証券の美観向上を図り、その付加価値を高めるものである。
【考案の開示】
【考案が解決しようとする課題】
【０００３】
しかしながら、上記した箔押し処理では、印刷機による印刷工程とは別に、箔押し機によって必要な部分に箔材を貼着する工程が必要となるため、印刷機による一連の印刷工程のみによっては印刷物を製造することができず、絵葉書や証券の製造工程が全体として煩雑となるという問題点があった。また、このような箔押し処理では、一般的に、箔材の貼着部分と被貼着部分との境界が明瞭となってしまうため、箔押しされた部分とその周囲との境界を自然な感じでぼかすことが困難であった。
【０００４】
このため、例えば、絵葉書の絵面に風景画や風景写真などの原画像を印刷によって再現した場合に、そこに描写され又は写り込んでいる光輝部分（例えば、ランプやライトなどの照明光、太陽光や照明光を反射する建物などの人工物又は空や水面などの自然物、その他光を発光又は反射する媒体（発光物や光反射物）など）に箔材を貼着すると、かかる光輝部分の輪郭のぼやけ具合を、ごく自然な感じで再現できないという問題点があった。
【０００５】
そこで、本考案は、上述した問題点を解決するためになされたものであり、印刷機による一連の印刷工程のみによって製造でき、更に、印刷画像により再現される原画像中の光輝部分に対してごく自然な風合いの光沢を付与できる絵葉書又は証券についての光沢性印刷構造を提供することを目的としている。
【課題を解決するための手段】
【０００６】
この目的を達成するために請求項１の光沢性印刷構造は、絵葉書又は証券について、光沢層を有した印刷基材を用いて、その光沢層上の印刷範囲に対して所望の原画像を印刷により再現することで形成される印刷構造であって、その印刷範囲の一部に対し原画像に基づいて作成される下地画が光硬化型白色系インキで印刷されることで形成されて前記光沢層を被覆する遮蔽下地と、その遮蔽下地を除いた前記印刷範囲内の部分であって前記光沢層の表面からなる光沢下地と、その光沢下地及び遮蔽下地に対し、原画像に基づいて作成される印刷版を介して光硬化型インキで印刷されることで原画像を再現した印刷画像とを備えており、その印刷画像と前記遮蔽下地とは光照射によって硬化されており、前記印刷範囲には、前記印刷画像と前記光沢下地との重畳部分であって前記光沢層の光沢が表出される高輝度画像部と、その印刷画像と前記遮蔽下地との重畳部分であって前記光沢層の光沢が弱められている低輝度画像部とが設けられている。
【０００７】
この請求項１の光沢性印刷構造によれば、絵葉書又は証券について、光沢層を有する印刷基材が用いられ、その光沢層上に印刷範囲が設定されて、この印刷範囲に対し、原画像に基づいて作成される下地画が光硬化型白色系インキを用いて印刷される。すると、印刷範囲の一部には、光硬化型白色系インキが付着した遮蔽下地が形成される一方、その印刷範囲の残部には、光硬化型白色系インキが付着されずに光沢層の表面からなる光沢下地が形成される。換言すれば、遮蔽下地は印刷範囲に印刷される下地画の画線部となり、光沢下地は印刷範囲に印刷される下地画の非画線部となる。
【０００８】
このように遮蔽下地及び光沢下地が形成された印刷範囲に対し、原画像に基づいて作成される印刷版を介して印刷画像が光硬化型インキで印刷されると、印刷範囲の遮蔽下地及び光沢下地からなる複合的な下地上に原画像が再現される。すると、印刷画像と光沢下地との重畳部分は高輝度画像部となって、この高輝度画像部からは光沢層の光沢が表出される。これに対し、印刷画像と遮蔽下地との重畳部分は低輝度画像部となって、光沢層の光沢が遮蔽されて弱められる。
【０００９】
請求項２の光沢性印刷構造は、請求項１の光沢性印刷構造において、前記高輝度画像部は、前記印刷画像の中でも、その印刷画像によって再現される原画像に存在している光輝部分に相当する箇所について設けられている。
【００１０】
この請求項２の光沢性印刷構造によれば、請求項１の光沢性印刷構造と同様の作用及び効果を奏することに加え、原画像を再現した印刷画像の中にある光輝部分は、高輝度画像部から表出される光沢層の光沢によって効果的に強調されるので、かかる光沢によって印刷範囲に印刷される印刷画像の美観を向上できる。
【００１１】
例えば、原画像が風景画又は風景写真であって、そこに照明光などの人工光、太陽光などの自然光、又は、それらを反射するもの（建物などの人工物又は空や水面などの自然物）が光輝部分として描写され又は写り込んでいる場合は、これらの光輝部分の画像に光沢下地が重畳するように下地画を原画像から作成して、その下地画を印刷範囲に印刷して遮蔽下地を形成すれば、印刷画像中の光輝部分を高輝度画像部にすることができ、かかる光輝部分を光沢層の光沢により強調し美化することができる。
【００１２】
請求項３の光沢性印刷構造は、請求項２の光沢性印刷構造において、前記印刷基材を用いた絵葉書について、前記光沢層上の印刷範囲に対し、夜景を撮影した原画像を印刷により再現することで形成される光沢性印刷構造であって、前記光輝部分が、前記原画像に写し出されている夜景中の発光物又は光反射物である。
【００１３】
この請求項３の光沢性印刷構造によれば、請求項２の光沢性印刷構造と同様の作用及び効果を奏することに加え、印刷画像によって再現された原画像に写し出されている夜景中の照明等の発光物や、その発光物の光を反射する水面などの光反射物を、高輝度画像部から表出される光沢層の光沢によって表現することができ、絵葉書に写し出される夜景画像を優美なものとすることができる。
【００１４】
請求項４の光沢性印刷構造は、請求項１から３のいずれかの光沢性印刷構造において、前記印刷画像は、原画像を変換した網点画像が版面に形成される印刷版を介して印刷されるものである。
【００１５】
この請求項４の光沢性印刷構造によれば、請求項１から３のいずれかの光沢性印刷構造と同様の作用及び効果を奏することに加え、印刷画像が網点画像によって原画像を再現するものであるので、網点の密度（網点面積率）の高低に応じて、印刷画像の画線部の背後から表出される光沢層の光沢（光反射率）を強弱させることができる。
【００１６】
請求項５の光沢性印刷構造は、請求項１から４のいずれかの光沢性印刷構造において、下刷ニス版を介して前記印刷画像の上から塗布される透明な光硬化型下刷ニスの硬化物によって形成され、前記印刷範囲全体を被覆するコーティング層を備えている。
【００１７】
この請求項５の光沢性印刷構造によれば、請求項１から４のいずれかの光沢性印刷構造と同様の作用及び効果を奏することに加え、コーティング層によって光沢層や印刷画像を保護することができるとともに、この透明なコーティング層を介することで高輝度画像部によって表出される光沢層の光沢が減殺されることなく透過させられる。
【００１８】
しかも、かかるコーティング層の塗布についても、下刷ニス版を介して印刷機による一連の印刷工程の中で行うことができる。さらに、コーティング層を形成する下刷ニスには光硬化型のものが用いられるので、光沢層のように透水性がなく通常の下刷ニスでは乾燥しにくい印刷面であっても、そこに塗布された下刷ニスに対して光線を照射することによって迅速に硬化させることができる。
【００１９】
請求項６の光沢性印刷構造は、請求項５の光沢性印刷構造において、前記コーティング層の表面であって前記低輝度画像部に対応する部分に設けられ、そのコーティング層に対する撥液性を有する透明性な光硬化型上刷ニスが上刷ニス版を介して塗布され、その光硬化型上刷ニスの硬化物によって微細凹凸状に形成されるエンボス層を備えている。
【００２０】
この請求項６の光沢性印刷構造によれば、請求項５の光沢性印刷構造と同様の作用及び効果を奏することに加え、コーティング層における低輝度画像部に対応する部分には微細凹凸状のエンボス層が設けられるので、かかるエンボス層の微細凹凸によってコーティング層表面の光の乱反射を誘発させて、低輝度画像部の全体的な光反射率を低下させることができる。
【００２１】
さすれば、低輝度画像部からコーティング層が発する光沢が除去されるので、高輝度画像部に表出される光沢層の光沢を一層際立たせることができるようになる。しかも、かかるエンボス層の塗布についても、印刷版を介して印刷機による一連の印刷工程の中で行うことができる。
【００２２】
さらに、エンボス層を形成する上刷ニスには光硬化型のものが用いられているので、光沢層のように透水性がなく通常の上刷ニスでは乾燥しにくい印刷面であっても、そこに塗布された上刷ニスに対して光線を照射することによって迅速に硬化させることができる。
【考案の効果】
【００２３】
本考案の光沢性印刷構造によれば、絵葉書又は証券の原紙となる印刷基材に対し、その光沢層上に設定される印刷範囲に、原画像に基づいた下地画を用いて遮蔽下地及び光沢下地を形成し、それらの上に原画像を再現した印刷画像を印刷することで、その印刷画像の印刷範囲内に互いに性質の異なる高輝度画像部と低輝度画像部とを混在させて形成することができるという効果がある。
【００２４】
特に、高輝度画像部は、そこに存在する印刷画像の背後から光沢層の光沢を表出させることができ、かかる光沢によって印刷画像に艶やかさを付与して、その美観を向上させることができるという効果がある。取り分け、印刷画像の非画線部と光沢下地とが重畳する部分は、原画像の色彩と置き換わって光沢層自体が画像の一部となるので、原画像にはない新たな美観が一層強調されるという効果がある。
【００２５】
また、高輝度画像部とともに印刷範囲に混在している低輝度画像部では、印刷画像の背後からの透過する光沢層の光沢が遮蔽下地によって弱められるので、印刷範囲の背後全体から光沢層の光沢が透過して印刷画像全体が過度にぎらつくことが防がれ、印刷画像全体としての視認性の低下や、印刷画像の美観の低下を防止できるという効果がある。しかも、低輝度画像部が存在することで、高輝度画像部と低輝度画像部とのコントラストが強められるので、高輝度画像部の光沢が一層強調されるという効果がある。
【００２６】
また、高輝度画像部は、光沢下地の上に印刷画像が印刷されることで形成されるので、従来の箔打ち処理による場合とは異なり、例えば、風景画や風景写真などの原画像中に描写され又は写り込んでいる光輝部分に光沢を付与する場合でも、その光輝部分の輪郭のぼやけ具合を、ごく自然な風合いに再現することができるという効果がある。さらに、高輝度画像部及び低輝度画像部を印刷範囲に形成するための遮蔽下地及び印刷画像は、いずれも印刷機による一連の印刷工程の中でなされるので、絵葉書や証券の製造工程を簡素化できるという効果もある。
【００２７】
しかも、遮蔽下地及び印刷画像を印刷するためのインキには光硬化型のものが用いられるので、かかるインキに対して光線を照射することによって迅速に硬化させることができる。このため、光沢層のように透水性がなく通常のインキでは乾燥しにくい印刷面であっても、そこに設定される印刷範囲に高輝度画像部および低輝度画像部を確実に形成することができるという効果がある。
【考案を実施するための最良の形態】
【００２８】
以下、本考案の好ましい実施例について、添付図面を参照して説明する。図１は、本考案の一実施例である光沢性印刷構造物１の縦断面図である。この光沢性印刷構造物１は、ホログラム層や金属蒸着層などの光沢層上に所望の原画像を印刷により再現した印刷構造物である。なお、本実施例においては、光沢層の一例としてホログラム層４を用いて説明する。
【００２９】
図１に示すように、光沢性印刷構造物１は、その台紙であるところの印刷基材２を備えている。この印刷基材２は、厚紙製の基材本体３と、その基材本体３の片側全面に貼着される薄膜状のホログラムフィルム製のホログラム層４とを備えている。
【００３０】
ホログラム層４は、光干渉による光沢を発する光沢層の一種であり、このホログラム層４上には印刷範囲５が設定されている。印刷範囲５は、原画像を再現する印刷画像９が印刷される範囲であって、ホログラム層４の表面積以下のサイズとされている。そして、この印刷範囲５内にあるホログラム層４の上には、印刷画像９を印刷するための下地となる、複合下地部６が形成されている。
【００３１】
次に、印刷基材２のホログラム層４上に形成される複合下地部６について説明する。
【００３２】
複合下地部６は、遮蔽下地７と光沢下地８とからなる複合的な下地である。遮蔽下地７は、印刷範囲５の一部に形成される下地であって、ホログラム層４の表面を被覆するものである。この遮蔽下地７は、原画像に基づいて作成される下地画を、下地版を介して印刷範囲５内に、白色系の光硬化型インキを用いてオフセット印刷したものであり、かかる光硬化型インキがホログラム層４に付着して硬化することで形成されている。つまり、遮蔽下地７の平面形状は、下地画の画線部と一致するものとなる。
【００３３】
光沢下地８は、印刷範囲５のうちで遮蔽下地７を除いた部分に形成される下地であって、ホログラム層４の表面自体からなるものである。したがって、上記した遮蔽下地７が下地画の画線部ならば、この光沢下地８は、下地画のうち光硬化型インキが付着されていない非画線部に相当するものであって、光沢性印刷構造物１の表面から外部へ向けて、ホログラム層４の光沢を表出させる領域として機能する。
【００３４】
ここで、遮蔽下地７の印刷に使用される下地版は、例えば、原画像をモノクロ化したポジ画像（以下「原モノクロポジ画像」という。）を作成し、更に、その原モノクロポジ画像に対して二次的な画像処理を施して加工したモノクロポジ画像（以下「二次モノクロポジ画像」という。）を作成し、その二次モノクロポジ画像を網点画像に変換し、この網点画像が版面画像として版面に形成することで製版される。
【００３５】
このように製版された下地版を介して下地画をオフセット印刷する場合は、その版面に形成される版面画像の画線部に光硬化型インキが付着されて、この版面に付着したインキがブランケットなどの中間転写体に転写される。そして、この中間転写体に転写されたインキが、この中間転写体から印刷範囲５に転写されることで、印刷範囲５に光硬化型インキが付着されて下地画が印刷されるのである。
【００３６】
次に、印刷画像９について説明する。
【００３７】
印刷画像９は、複合下地部６が形成された印刷範囲５に対し、原画像に基づいて作成される印刷版を介して、４色のプロセスカラー系の光硬化型インキを用いてオフセット印刷されたものであり、４色のプロセスカラーの網点画像によって原画像を再現したものである。
【００３８】
ここで、印刷画像９の印刷版は、原画像をプロセスカラー（ＹＭＣＫ）の色成分である４色のイエロー（Ｙ）、マゼンタ（Ｍ）、シアン（Ｃ）及びブラック（Ｋ）の色成分の画像に色分解し、その各色成分画像をＦＭスクリーニング処理によって網点画像に変換し、その各色成分の網点画像を版面画像として版面にそれぞれ形成したものであり、各色成分毎にそれぞれ製版される。
【００３９】
そして、印刷画像９は、これらの各色成分の印刷版を介して、各色成分の光硬化型インキが順番に複合下地部６の上にオフセット印刷によって付着されることで、各色成分の網点画像が複合下地部６の上に重畳されて形成される。また、このようにして印刷される印刷画像９は、網点画像によって原画像を再現するものであるので、その網点面積率の高低に応じて、印刷画像９の画線部の背後から表出されるホログラム層４の光反射率が高低させて、かかるホログラム層４の光り具合を調整するものとなる。
【００４０】
なお、ＦＭスクリーニング処理は、連続階調をもった原画像を、擬似的に連続階調を再現したハーフトーン画像（網点画像）へと変換するためのスクリーニング処理（演算処理）の一種である。このＦＭスクリーニング処理により変換された網点画像によれば、特に、微小一定サイズ（例えば２０μｍ程度）の基本ドット（網点）を不規則に配置することで、単位面積当たりの基本ドットの密度（網点面積率）で濃淡を表現することができる。
【００４１】
また、印刷画像９が印刷された印刷範囲５には、その印刷画像９と遮蔽下地７とが重畳した部分である低輝度画像部１０と、印刷画像９と光沢下地８とが重畳した部分である高輝度画像部１１とが、それぞれ形成されることとなる。ここで、低輝度画像部１０は、印刷画像９の背後にあるホログラム層４の光沢が遮蔽下地７によって遮蔽されて弱められ又は完全に遮断される部分であるので、印刷画像９の背景が過度にぎらつくことが防止され、かかる印刷画像９により再現される原画像の本来的な描写が表出される。
【００４２】
一方、高輝度画像部１１は、印刷画像９の背後から光沢下地８、即ち、ホログラム層４の光沢が表出される部分であって、原画像を再現した印刷画像９に対してホログラム層４が発する特有の光沢が視覚効果として付加される。特に、高輝度画像部１１の中でも、印刷画像９の非画線部（インキの非付着部分）と光沢下地８とが重畳する部分である非画線光沢部１１ａは、印刷画像９の画線部（インキの付着部分）で光沢下地８が遮蔽されることがなく、故に、後述する各ニス層１３，１４越しにホログラム層４の光沢が直接表出され、原画像を再現した印刷画像９に対して一層強い光沢感を付与することができる。
【００４３】
次に、遮蔽下地７（下地画）及び印刷画像９の印刷に使用される光硬化型インキについて説明する。
【００４４】
光硬化型インキは、特定の波長の光線を照射することによって重合されて硬化するインキであり、主として、着色料の他に光重合性樹脂や光重合開始剤（増感剤）が含まれている。本実施例では、光硬化型インキとして、紫外線照射により光重合して硬化するＵＶインキが用いられており、下地画（遮蔽下地７）の印刷には白色系ＵＶインキが、印刷画像９の印刷には４色のプロセスカラーのＵＶインキが、それぞれ用いられる。
【００４５】
また、白色系及びプロセスカラーのＵＶインキを用いて下地画（遮蔽下地７）及び印刷画像９が印刷範囲５にオフセット印刷されると、かかる印刷範囲５に対して紫外線が照射されることによって、ＵＶインキが硬化されて遮蔽下地７及び印刷画像９が形成が完了するのである。また、これらのＵＶインキの印刷処理と、紫外線照射によるＵＶインキの硬化処理とは、オフセットＵＶ印刷機を用いることで一連の印刷工程の中で行うことができる。
【００４６】
次に、コーティングニス層１３及びエンボスニス層１４について説明する。
【００４７】
コーティングニス層１３は、複合下地部６及び印刷画像９の上から印刷範囲５全体を被覆して保護するものであり、透明な光硬化型下刷ニスの硬化物で形成され、かつ、略平滑な表面を有した樹脂層である。このコーティングニス層１３は、印刷画像９が複合下地部６の上にオフセット印刷された後、その印刷画像９の上から未硬化状態の下刷ニスが下刷ニス版を介して塗布され、その光硬化型下刷ニスを光照射によって硬化させることで形成される。
【００４８】
なお、本実施例では、印刷範囲５全体を被覆する略均一な厚みのコーティングニス層１３を形成する必要があるので、印刷範囲５に対して下刷ニスを塗布する下刷ニス版として、ベタ版を使用することが好ましい。
【００４９】
また、コーティングニス層１３が透明であることから、このコーティングニス層１３の下に設けられる光沢下地８及び遮蔽下地７の上に印刷される印刷画像９も、かかるコーティングニス層１３を透過して外部に表出される。このため、高輝度画像部１１によって表出されるホログラム層４の光沢が減殺されることなく透過させられる。
【００５０】
エンボスニス層１４は、コーティングニス層１３の表面に形成される微細凹凸状の透明な樹脂層であり、コーティングニス層１３に対する撥液性を有する透明性な光硬化型上刷ニスの硬化物で形成されている。このエンボスニス層１４は、未硬化状態の上刷ニスを、上刷ニス版を介して塗布し、かかる光硬化型上刷ニスがコーティングニス層１３上で弾かれて微細凹凸状となったところを、光照射によって硬化させて形成したものである。
【００５１】
ここで、エンボスニス層１４の塗布に使用される上刷ニス版は、原画像に基づいて作成されるものである。この上刷ニス版を製版する場合は、例えば、原モノクロポジ画像を作成し、この原モノクロポジ画像に対して所望の画像処理を施して加工することで、上刷ニス画を作成する。
【００５２】
この上刷ニス画は、エンボスニス層１４の微細凹凸を付与したい箇所を画線部（高明度部分（白色部分））とし、かつ、コーティングニス層１３の略平滑な表面を露出させたい箇所を非画線部（低明度部分（黒色部分））とした画像であり、上刷ニス版の版面には、かかる上刷ニス画をＦＭスクリーニング処理によって変換した網点画像が版面画像として形成される。
【００５３】
このように製版された上刷ニス版により塗布形成されるエンボスニス層１４は、コーティングニス層１３の表面全体ではなく局所的に、主として、コーティングニス層１３における低輝度画像部１０に対応する部分に設けられる。さすれば、低輝度画像部１０の表面では、エンボスニス層１４の微細凹凸によってコーティングニス層１３表面の光の乱反射が誘発されて、その全体的な光反射率が低下させられ、コーティングニス層１３表面で起きる光反射による印刷画像９の視認性低下を防止できる。
【００５４】
しかも、低輝度画像部１０の表面にエンボスニス層１４を形成することで、低輝度画像部１０の表面からコーティングニス層１３が発する光沢が除去されるので、コーティングニス層１３の光沢と相俟って高輝度画像部１１から表出されるホログラム層４の光沢を一層際立たせることができる。
【００５５】
もっとも、エンボスニス層１４の形成箇所は、必ずしも低輝度画像部１０に限定されるものではなく、上刷ニス版の版面の網点画像を調整することで、例えば、高輝度画像部１１に対応する部分のコーティングニス層１３表面に設けることもできる。さすれば、高輝度画像部１１の表面の光反射率が低下されるため、かかる高輝度画像部１１にある印刷画像９の背後から表出されるホログラム層４の光沢が弱められ、エンボスニス層１４の微細凹凸による独特な光沢感が発揮される。
【００５６】
なお、エンボスニス層１４の用途は、必ずしも上記したものに限定されるものではなく、例えば、エンボスニス層１４が形成された部分（図４中のエンボス形成部１５に相当する部分）と、エンボスニス層１４が形成されずにコーティングニス層１３が露出した部分（図４中のエンボス非形成部１６に相当する部分）との光反射率の相違を利用して、各ニス層１３，１４からなる光沢性印刷構造物１の表面に透かし模様を加工する場合に用いても良い。
【００５７】
ここで、この光硬化型下刷ニス及び光硬化型上刷ニスは、特定の波長の光線を照射することによって重合されて硬化するニスであり、その組成成分として光重合性樹脂や光重合開始剤（増感剤）が含まれている。本実施例では、光硬化型の下刷ニス及び上刷ニスとして、紫外線照射により光重合して硬化する透明なＵＶニスが用いられている。
【００５８】
また、ＵＶニスが塗布された後は、かかる印刷範囲５に対して紫外線が照射されることによって、ＵＶニスが硬化されてコーティングニス層１３及びエンボスニス層１４からなる光沢性印刷構造物１の表面層が印刷範囲５に形成される。さらに、ＵＶニスの塗布処理と、紫外線照射によるＵＶニスの硬化処理とは、オフセットＵＶ印刷機を用いることで一連の印刷工程の中で行うことができる。
【００５９】
なお、本実施例で用いる下地版、印刷版及び上刷ニス版は、いずれもコンピュータによって原画像データに基づいて網点画像データが作成されて、その網点画像データがＣＴＰ（Computer-to-Plate）システムへ出力されて、そのＣＴＰシステムによって網点画像に対応する版面画像が版面に直接形成されることで製版されたものである。
【００６０】
次に、図２を参照して、上記した光沢性印刷構造物１を絵葉書２０に適用した場合について説明する。
【００６１】
ここで、絵葉書２０の絵面（写真や絵画が印刷される面）２１には、印刷基材２のホログラム層４のある面が用いられ、ホログラム層４のないもう一方の面は、絵葉書２０の宛名面として用いられる。なお、光沢性印刷構造物１が適用される製品は、必ずしも絵葉書２０に限定されるものではなく、この他にも、例えば、証券にも適用することができる。
【００６２】
図２は、絵面２１を光沢性印刷構造物１で構成した絵葉書２０の平面図であり、図３は、図２の絵葉書２０の絵面２１に形成される遮蔽下地７及び光沢下地８の領域を概略的に示した平面図であり、図４は、図２の絵葉書２０の絵面２１に形成されるエンボス形成部１５及びエンボス非形成部１６の領域を概略的に示した平面図である。
【００６３】
なお、図３中の２点鎖線は、印刷範囲５の輪郭を表す仮想線であり、図４中の外側の２点鎖線は、絵葉書２０の輪郭を表す仮想線であり、図４中の内側の２点鎖線は印刷範囲５の輪郭を表す仮想線である。
【００６４】
図２に示すように、絵葉書２０の絵面２１には略長方形状の印刷範囲５が設定されており、この印刷範囲５には光沢性印刷構造物１を用いて風景写真である原画像が再現されている。具体的に、この絵面２１には、河川の川面と、その河川の川縁に沿って建ち並ぶ複数件の家屋と、その家屋と河川との間に川縁に沿って延びる小道と、その小道沿いに立ち並ぶガス灯及び樹木と、河川を横断する架橋と、その架橋に沿って立ち並ぶ街灯と、架橋の背後に連なる山々と、その山々の上に広がる夜空とが撮影された風景写真が再現されている。
【００６５】
この光沢性印刷構造物１で構成される絵面２１によれば、原画像である風景写真中に存在する光輝部分を再現した画像部分、例えば、小道の路面の一部、各ガス灯の明かり、架橋上の各街灯の明かり、この各街灯の明かりが反射する川面及び家屋の窓ガラスなどの部分が、高輝度画像部１１とされている。
【００６６】
ここで、図３に示すように、図２で高輝度画像部１１となっている小道の路面の一部、ガス灯、街灯の明かり、川面及び一部の窓ガラスに対応する箇所は、光沢下地８（図中の白抜き部分）となっている。このため、絵葉書２０の絵面２１では、上記した小道の路面の一部、ガス灯、街灯の明かり、川面及び窓ガラスなどの部分から印刷基材２のホログラム層４の光沢が表出されて、その光沢による視覚効果によって美観が高められる。
【００６７】
また、図２に示した光沢性印刷構造物１で構成される絵面２１によれば、原画像である風景写真中に存在する光輝部分を除く部分を再現した画像部分、例えば、小道の路面の残部、架橋、山々、夜空及び家屋などの部分が、低輝度画像部１０とされている。
【００６８】
ここで、図３に示すように、図２で低輝度画像部１０となっている小道の路面の残部、架橋、山々、夜空及び家屋に対応する箇所は、遮蔽下地７（図中のハッチング部分）となっている。このため、絵葉書２０の絵面２１では、上記した小道の路面の残部、架橋、山々、夜空及び家屋などの部分については、ホログラム層４の光沢が弱められ又は遮蔽されることで、画像のぎらつきが防止される。
【００６９】
また、図４に示すように、図２で高輝度画像部１１となっているガス灯、街灯の明かり、川面及び一部の窓ガラスに対応する箇所については、エンボスニス層１４が形成されずにコーティングニス層１３が露出したエンボス非形成部１６（図中の白抜き部分）となっている。このため、エンボスニス層１４の微細凹凸を透過することでホログラム層４の光沢が乱反射して弱められることもなく、コーティングニス層１３を透過して発せられるホログラム層４の光沢が強調されている。
【００７０】
一方、図２で高輝度画像部１１となっている小道の路面の一部に対応する箇所については、エンボスニス層１４が形成されたエンボス形成部１５（図中のハッチング部分）となっている。このため、かかるエンボスニス層１４の微細凹凸によって印刷画像９の背後から表出するホログラム層４の光沢が乱反射されることで、エンボス形成部１５の高輝度画像部１１とはまた異なった独特の美観が付与される。
【００７１】
さらに、低輝度画像部１０となる小道の路面の残部、架橋、山々、夜空及び家屋に対応する箇所については、エンボス形成部１５となっている。このため、かかるエンボスニス層１４の微細凹凸によって、光を乱反射させてコーティングニス層１３が発する光沢が除去されており、低輝度画像部１０の視認性を高めつつ、高輝度画像部１１に表出されるホログラム層４の光沢を一層際立たせることができる。
【００７２】
ところで、図３に示される遮蔽下地７及び光沢下地８は、その両者の境界部分が図面作成上の制約によって明確に区画されているが、現実に形成される遮蔽下地７と光沢下地８との境界部分には中間調的な部分が存在している。これは、上記した通り、遮蔽下地７は、下地画の画線部を白色系の光硬化型インキの付着具合で再現した網点画像で形成されるため、この下地画における各部の網点面積率の高低によって遮蔽下地７に濃淡が生じることとなるからである。
【００７３】
また、図４に示されるエンボス形成部１５及びエンボス非形成部１６についても、その両者の境界部分が図面作成上の制約によって明確に区画されているが、現実に形成されるエンボス形成部１５とエンボス非形成部１６との境界部分はごく自然な風合いを演出するために不規則にぼかされている。
【００７４】
以上、実施例に基づき本考案を説明したが、本考案は上記実施例に何ら限定されるものではなく、本考案の趣旨を逸脱しない範囲内で種々の改良変形が可能であることは容易に推察できるものである。
【図面の簡単な説明】
【００７５】
【図１】本考案の一実施例である光沢性印刷構造物の縦断面図である。
【図２】絵面を光沢性印刷構造物で構成した絵葉書の平面図である。
【図３】図２の絵葉書の絵面に形成される遮蔽下地及び光沢下地の領域を概略的に示した平面図である。
【図４】図２の絵葉書の絵面に形成されるエンボス形成部及びエンボス非形成部の領域を概略的に示した平面図である。
【符号の説明】
【００７６】
１                    光沢性印刷構造物（光沢性印刷構造）
２                    印刷基材
４                    ホログラム層（光沢層）
５                    印刷範囲
７                    遮蔽下地
８                    光沢下地
９                    印刷画像
１０                  低輝度画像部
１１                  高輝度画像部
１３                  コーティング層
１４                  エンボス層
２０                  絵葉書
２１                  絵面
【図１】
0003137432.tif 000003
【図２】
0003137432.tif 000004
【図３】
0003137432.tif 000005
【図４】
0003137432.tif 000006